(57)【要約】【課題】ＩＰアドレス付与サーバと複数のＩＰ電話端末とを接続する通信回線の帯域が狭い場合においても、ＩＰ電話端末の各々がＬＡＮ電話番号及びＩＰアドレスを取得できるＩＰ電話システムを提供する【解決手段】本発明のＩＰ電話システムは複数のＩＰ電話端末とＩＰアドレス付与サーバとを含み、当該ＩＰ電話端末の各々は当該ＩＰアドレス付与サーバへＩＰアドレスの付与を要求するための優先順位リストを記憶する手段と、ＩＰアドレスを取得できたと判別した場合に当該優先順位リストに基づいて優先順位が下位のＩＰ電話端末のいずれか１に向けてＩＰアドレスの取得指示を発する手段と、自身の属するＩＰ電話端末が最優先順位であると判別した場合に当該取得指示を待つことなく当該ＩＰアドレス付与サーバへＩＰアドレスの付与を要求し、自身の属するＩＰ電話端末が最優先順位で無いと判別した場合に当該取得指示を受けてから当該ＩＰアドレス付与サーバへＩＰアドレスの付与を要求する手段とを含む。【選択図】図１
2008244584.tif 000002
【特許請求の範囲】
【請求項１】
複数のＩＰ電話端末と、前記ＩＰ電話端末からの要求に応じて当該要求のあったＩＰ電話端末へＩＰアドレスを送信するＩＰアドレス付与サーバと、を含むＩＰ電話システムであって、
前記ＩＰ電話端末の各々は、
前記ＩＰアドレス付与サーバへＩＰアドレスの付与を要求するための前記ＩＰ電話端末全体についての優先順位リストを記憶する優先順位記憶手段と、
前記優先順位リストに基づいて前記ＩＰアドレス付与サーバへ前記ＩＰアドレスの付与を要求するＩＰアドレス要求手段と、
前記ＩＰアドレスを取得できたと判別した場合に前記優先順位リストに基づいて優先順位が下位のＩＰ電話端末のいずれか１に向けてＩＰアドレスの取得指示を発する取得指示手段と、を含み、
前記ＩＰアドレス要求手段は、
自身の属するＩＰ電話端末が最優先順位であると判別した場合に前記取得指示を待つことなく前記ＩＰアドレス付与サーバへＩＰアドレスの付与を要求し、
自身の属するＩＰ電話端末が最優先順位で無いと判別した場合に前記取得指示を受けてから前記ＩＰアドレス付与サーバへＩＰアドレスの付与を要求することを特徴とするＩＰ電話システム。
【請求項２】
前記ＩＰアドレス要求手段は、前記ＩＰアドレスを取得できなかったと判別した場合に再び前記ＩＰアドレス付与サーバへ前記ＩＰアドレスの付与を要求する再付与要求手段を含むことを特徴とする請求項１に記載のＩＰ電話システム。
【請求項３】
前記取得指示手段は、前記ＩＰアドレスを取得できなかったと判別した回数が所定回数に達した場合に優先順位が下位のＩＰ電話端末のいずれか１に向けて前記取得指示を発するＩＰアドレス取得不可時取得指示手段を含むことを特徴とする請求項１に記載のＩＰ電話システム。
【請求項４】
前記ＩＰ電話端末の各々は、前記取得指示を受けた場合に当該取得指示を発したＩＰ電話端末へ取得指示受信通知を送信する取得指示受信通知手段を更に含み、
前記取得指示手段は、前記取得指示受信通知を受信できなかったと判別した場合に再び前記取得指示を発する再取得指示手段を含むことを特徴とする請求項１に記載のＩＰ電話システム。
【請求項５】
前記ＩＰ電話端末の各々は、前記取得指示を受けた場合に当該取得指示を発したＩＰ電話端末へ取得指示受信通知を送信する取得指示受信通知手段を更に含み、
前記取得指示手段は、優先順位が下位のＩＰ電話端末のいずれか１からの前記取得指示受信通知を受信できなかったと判別した回数が所定回数に達した場合に当該１を除く優先順位が下位のＩＰ電話端末のいずれか１に向けて取得指示を発する受信通知受信不可時取得指示手段を含むことを特徴とする請求項１に記載のＩＰ電話システム。
【請求項６】
前記優先順位記憶手段は、前記優先順位にかかわらず前記ＩＰアドレス付与サーバへ前記ＩＰアドレスの付与を要求すべきであるか否かを示す強制取得フラグを記憶する強制取得フラグ記憶手段を含み、
前記ＩＰアドレス要求手段は、前記強制取得フラグが前記ＩＰアドレスの付与を要求すべきであることを示す場合に前記優先順位にかかわらず前記ＩＰアドレス付与サーバへ前記ＩＰアドレスの付与を要求するＩＰアドレス強制取得手段を含むことを特徴とする請求項１に記載のＩＰ電話システム。
【請求項７】
前記優先順位記憶手段は、前記複数のＩＰ電話端末の各々に予め割り当てられているＭＡＣアドレスと前記ＩＰアドレス付与サーバへＩＰアドレスの付与を要求する優先順位とを対応付けて記憶し、
前記ＩＰアドレス要求手段は、前記ＭＡＣアドレスに基づいて自身のＩＰ電話端末の優先順位を判別して当該判別した優先順位に基づいて前記ＩＰアドレス付与サーバへ前記ＩＰアドレスの付与を要求することを特徴とする請求項１に記載のＩＰ電話システム。
【発明の詳細な説明】
【技術分野】
【０００１】
本発明は複数のＩＰ電話端末と当該ＩＰ電話端末からの要求に応じてＩＰアドレスを付与するＩＰアドレス付与サーバとを含むＩＰ電話システムに関する。
【背景技術】
【０００２】
イーサネット（登録商標）等によるＬＡＮ（Local Area Network）を構築する場合、ＴＣＰ／ＩＰ(Transmission Control Protocol / Internet Protocol)プロトコルにより、ネットワークを構築することが一般的である。このとき、ネットワークに接続された端末は、通常、ＩＰ(Internet Protocol)アドレスという端末識別子を用いて識別される。ＩＰ電話端末の各々に端末認識番号（以下、ＬＡＮ電話番号と称する）及びＩＰアドレスを与えるサーバ（以下、ＩＰ付与サーバと称する）と複数のＩＰ電話端末とを含むＩＰ電話システムにおいては、通常、各ＩＰ電話端末が電源投入時にＩＰアドレス付与サーバに対して自身のＬＡＮ電話番号及びＩＰアドレスの付与を要求する。ＩＰアドレス付与サーバは、ネットワーク内のＩＰ電話端末に付与するＬＡＮ電話番号及びＩＰアドレスを管理しており、ＩＰ電話端末からの要求に応じて当該要求を発したＩＰ電話端末に対してＬＡＮ電話番号及びＩＰアドレスを送信する。
【０００３】
例えば特許文献１には端末識別番号付与サーバが配下の端末のＩＰアドレスと端末識別番号とを管理し、当該端末からＩＰアドレス登録要求があった場合に、当該端末から以前と同じ端末識別番号を付与されることが希望されているときには、当該サーバが当該希望されている端末識別番号と当該登録を要求されたＩＰアドレスとを対応付ける端末識別番号付与方法及びサーバ装置が開示されている。
【特許文献１】特開平１０−２７１１１７号公報
【発明の開示】
【発明が解決しようとする課題】
【０００４】
ところで例えば停電などにより電源断が発生した場合、電源復旧後、ＩＰ電話端末の各々が一斉にＩＰアドレス付与サーバに対してＬＡＮ電話番号及びＩＰアドレスの付与を要求する。ＩＰアドレス付与サーバとＩＰ電話端末とを接続する通信回線が低速仕様である場合に、ＩＰ電話端末の各々が一斉にＩＰアドレス付与サーバに対してＬＡＮ電話番号及びＩＰアドレスの付与を要求すると、当該要求をなす複数のパケットの通信量が通信回線の帯域を超過することにより、当該複数のパケットの内の幾つかが通信回線にて喪失され、当該要求がＩＰアドレス付与サーバへ届かず、ＩＰ電話端末の内のいくつかがＬＡＮ電話番号及びＩＰアドレスを取得できなくなってしまうという問題点があった。
【０００５】
例えば、通信回線の帯域が６４Ｋｂ／ｓで、サーバへの通信に必要な回線の帯域がＩＰ電話端末１台当たり１６Ｋｂ／ｓであるとする。このときＩＰ電話端末が４０台あるとすると４０×１６Ｋｂ／ｓ＝６４０Ｋｂ／ｓとなり、回線の帯域である６４Ｋｂ／ｓを超過してしまうため、パケットロスが生じてＬＡＮ電話番号及びＩＰアドレスの付与要求がＩＰアドレス付与サーバへ届かなくなってしまう。また、このとき、サーバへの集中的なアクセスにより輻輳も生じてしまうという問題点があった。
【０００６】
本発明は、上記した如き問題点に鑑みてなされたものであって、ＩＰアドレス付与サーバと複数のＩＰ電話端末とを接続する通信回線の帯域が狭い場合においても、ＩＰ電話端末の各々がＬＡＮ電話番号及びＩＰアドレスを取得できるＩＰ電話システムを提供することを目的とする。
【課題を解決するための手段】
【０００７】
本発明によるＩＰ電話システムは、複数のＩＰ電話端末と、前記ＩＰ電話端末からの要求に応じて当該要求のあったＩＰ電話端末へＩＰアドレスを送信するＩＰアドレス付与サーバと、を含むＩＰ電話システムであって、前記ＩＰ電話端末の各々は、前記ＩＰアドレス付与サーバへＩＰアドレスの付与を要求するための前記ＩＰ電話端末全体についての優先順位リストを記憶する優先順位記憶手段と、前記優先順位リストに基づいて前記ＩＰアドレス付与サーバへ前記ＩＰアドレスの付与を要求するＩＰアドレス要求手段と、前記ＩＰアドレスを取得できたと判別した場合に前記優先順位リストに基づいて優先順位が下位のＩＰ電話端末のいずれか１に向けてＩＰアドレスの取得指示を発する取得指示手段と、を含み、前記ＩＰアドレス要求手段は、自身の属するＩＰ電話端末が最優先順位であると判別した場合に前記取得指示を待つことなく前記ＩＰアドレス付与サーバへＩＰアドレスの付与を要求し、自身の属するＩＰ電話端末が最優先順位で無いと判別した場合に前記取得指示を受けてから前記ＩＰアドレス付与サーバへＩＰアドレスの付与を要求することを特徴とする。
【発明を実施するための最良の形態】
【０００８】
以下、本発明に係る実施例について添付の図面を参照しつつ詳細に説明する。
【０００９】
図１は本発明によるＩＰ電話システムを表すブロック図である。
【００１０】
拠点ＰＡではＩＰ電話端末１０−１〜ｎ（ｎは正整数）がＬＡＮ１１を介して互いに接続されている。また、ＬＡＮ１１はＮＷ接続機器１２を介して通信回線１３と接続されている。更に通信回線１３は通信網４０と接続されている。同様に、拠点ＰＢではＩＰ電話端末２０−１〜ｍ（ｍは正整数）がＬＡＮ２１を介して互いに接続されている。また、ＬＡＮ２１はＮＷ接続機器２２を介して通信回線２３と接続されている。更に通信回線２３は通信網４０と接続されている。拠点ＰＣではＩＰ電話端末３０−１〜ｔ（ｔは正整数）及びＩＰアドレス付与サーバ３４がＬＡＮ３１を介して互いに接続されている。また、ＬＡＮ３１はＮＷ接続機器３２を介して通信回線３３と接続されている。更に通信回線３３は通信網４０と接続されている。
【００１１】
ＬＡＮ１１、２１及び３１の各々はイーサネットなどである。ＮＷ接続機器１２、２２及び３２の各々はルータなどである。通信回線１３、２３及び３３の各々は所定の回線速度を有する専用回線である。通信網４０はインターネット網、イーサネット網、ＩＰ網などである。ＩＰ電話端末１０−１〜ｎ、２０−１〜ｍ及び３０−１〜ｔの各々及びＩＰアドレス付与サーバ３４はＴＣＰ／ＩＰプロトコルを使用して相互に通信可能である。また、相互の通信はＩＰパケットを送受信することによってなされる。なお、本実施例では、拠点ＰＡ、ＰＢ及びＰＣの３拠点が示されているが、本発明にはかかる拠点数の限定は無い。
【００１２】
ＩＰアドレス付与サーバ３４はＩＰアドレス及びＬＡＮ電話番号を管理しており、ＩＰ電話端末１０−１〜ｎ、２０−１〜ｍ及び３０−１〜ｔのいずれかからのＩＰアドレス及びＬＡＮ電話番号の付与要求に応じて、当該要求のあったＩＰ電話端末へＩＰアドレス及びＬＡＮ電話番号を送信する。
【００１３】
図２はＩＰ電話端末１０−１を表すブロック図である。ＩＰ電話端末１０−１は、テンキーインターフェース５１と、ハンドセットインターフェース５２と、音声圧縮伸長回路５３と、ＬＡＮ制御回路５４と、メモリ５５と、中央制御回路５６と、コンソールインターフェース５７とを含む。これらはバス５８を介して互いに接続されている。
【００１４】
テンキーインターフェース５１は電話番号情報の入力インターフェースである。ハンドセットインターフェース５２はアナログ音声の入出力インターフェースである。音声圧縮伸長回路５３はハンドセットインターフェース５２から入力された音声信号を圧縮及び伸長する。
【００１５】
ＬＡＮ制御回路５４は音声圧縮伸長回路５３が圧縮及び伸長した音声信号をバス５８などを介して通信網４０へ送出する制御を行う。また、ＬＡＮ制御回路５４はイーサネットアドレスを格納している。イーサネットアドレスは６バイト（４８ビット）であり、最初の３バイトはベンダーごとに割り振られた番号で、残りの３バイトは機器同士が互いに重複しないようにベンダーによって割り振られた番号である。アドレスをこのように割り振る規約があるため、イーサネットアドレスは重複しないことが一般に補償されている。このイーサネットアドレスはＩＥＥＥによって規定された用語によればＭＡＣアドレスと呼ばれる（以下、ＭＡＣアドレスと称する）。
【００１６】
ＬＡＮ制御回路５４はＩＰアドレス要求手段と、ＩＰアドレス取得判別手段と、取得指示手段と、取得指示受信通知手段と、取得指示受信通知受信判別手段とを含む。ＩＰアドレス要求手段は優先順位に基づいてＩＰアドレス付与サーバ３４へＩＰアドレスの付与を要求する。ＩＰアドレス取得判別手段はＩＰアドレス付与サーバ３４からのＩＰアドレスを取得できたか否かを判別する。取得指示手段は複数のＩＰ電話端末の内のいずれかへ取得指示を発する。取得指示受信通知手段は取得指示を受けた場合に当該取得指示を発したＩＰ電話端末へ取得指示受信通知を送信する。取得指示受信通知受信判別手段は複数のＩＰ電話端末の内のいずれかからの取得指示受信通知を受信したか否かを判別する。
【００１７】
メモリ５５はＩＰアドレス付与サーバやＩＰ電話端末などの各種情報を記憶できる。メモリ５５は優先順位記憶手段と、ＩＰアドレス付与サーバＩＰアドレス記憶手段とを含む。優先順位記憶手段はＩＰアドレス付与サーバへＩＰアドレスの付与を要求するためのＩＰ電話端末全体についての優先順位リストを記憶する。また、優先順位記憶手段は当該優先順位にかかわらずＩＰアドレス付与サーバ３４へＩＰアドレスの付与を要求すべきであるか否かを示す強制取得フラグを記憶する。ＩＰアドレス付与サーバＩＰアドレス記憶手段はＩＰアドレス付与サーバ３４のＩＰアドレスを記憶する。なお、メモリ５５のデータ構成の例については後述する（図５）。
【００１８】
中央制御回路５６は上記した各インターフェース、各回路及びメモリ５５を制御する機能を有する。コンソールインターフェース５７はメモリ５５に情報を設定するためのインターフェースであり、パーソナルコンピュータなどを接続可能である。ＩＰ電話端末１０−２〜ｎ、２０−１〜ｍ及び３０−１〜ｔの各々もＩＰ電話端末１０−１と同様の構成である。
【００１９】
図３は拠点ＰＢにおけるＩＰ電話端末のグループ分けの一例を表す図である。
【００２０】
ここではｍ＝４０とし、ＩＰ電話端末２０−１〜４０の計４０台のＩＰ電話端末がＬＡＮ２１を介して互いに接続されているのもとする。ここで一例として通信回線２３の回線帯域が６４Ｋｂ／ｓであり、ＩＰ電話端末１台あたりがＩＰアドレス付与サーバ３４へ通信するのに必要な帯域が１６Ｋｂ／ｓであるとする。このとき、通信回線２３を介して同時に通信できるＩＰ電話端末数は６４Ｋｂ／ｓ÷１６Ｋｂ／ｓ＝４台である。そのため、拠点ＰＢに含まれるＩＰ電話端末２０−１〜４０が同時にＩＰアドレス付与サーバ３４へ通信することはできない。そこで、ＩＰ電話端末２０−１〜４０を同図中に示す如くグループＧ１〜Ｇ４の４グループに分けるとする。Ｇ１にはＩＰ電話端末２０−１〜１０、Ｇ２にはＩＰ電話端末２０−１１〜２０、Ｇ３にはＩＰ電話端末２０−２１〜３０、Ｇ４にはＩＰ電話端末２０−３１〜４０がそれぞれ含まれる（各グループ各１０台）。このようにグループＧ１〜Ｇ４の４グループに分けし、ＩＰアドレス付与サーバ３４へ通信するＩＰ電話端末の台数を各グループ１台に制限する。そうすれば、ＩＰ電話端末２０−１〜４０からＩＰアドレス付与サーバ３４への通信量が通信回線２３の回線帯域６４Ｋｂ／ｓをオーバーしないですむ。
【００２１】
図４はグループＧ１内におけるＩＰ電話端末２０−１〜１０とＭＡＣアドレス対応の一例を表す図である。通常、ＩＰ電話端末２０−１〜１０には予め固有のＭＡＣアドレスが割り当てられている。ここでは、ＩＰ電話端末２０−１にはＸＸ−ＸＸ−ＸＸ−ＸＸ−ＸＸ−０１、ＩＰ電話端末２０−２はＸＸ−ＸＸ−ＸＸ−ＸＸ−ＸＸ−０２、・・・、ＩＰ電話端末２０−１０はＸＸ−ＸＸ−ＸＸ−ＸＸ−ＸＸ−０Ａが予め割り振られているものとする。
【００２２】
図５はメモリ５５のデータ構成の一例を表す図である。
【００２３】
「メモリアドレス」はメモリ５５のアドレスを表す。「ＭＡＣアドレス」は同一グループ内に含まれる各ＩＰ電話端末に予め割り振られているＭＡＣアドレスを表す。なお、図４に示されるのと同様に、ＭＡＣアドレスＸＸ−ＸＸ−ＸＸ−ＸＸ−ＸＸ−０１はＩＰ電話端末２０−１に、・・・、ＭＡＣアドレスＸＸ−ＸＸ−ＸＸ−ＸＸ−ＸＸ−０ＡはＩＰ電話端末２０−１０に予め割り振られている。「サーバアクセス順位」はＩＰ電話端末がＩＰアドレス付与サーバ３４へＩＰアドレスの付与を要求する優先順位を表す。「グループ番号」はＩＰ電話端末２０−１〜４０を上述した如くグループ分けしたときのグループ番号を表す。このようにメモリ５５は、ＩＰアドレス付与サーバ３４へＩＰアドレスの付与を要求するための同一グループ（ここではＧ１）内に含まれるＩＰ電話端末２０−１〜１０全体についての優先順位リストを記憶する。本実施例ではアドレス０番地から順番に優先順位を対応付けているが、本発明にはアドレス番地と優先順位との対応付けにかかる限定は無い。
【００２４】
メモリ５５は強制取得フラグを記憶している。強制取得フラグは、優先順位にかかわらずＩＰアドレス付与サーバ３４へＩＰアドレスの付与を要求すべきであるか否かを示すフラグである。例えば要求すべきであるときは論理値１、要求すべきでないときは論理値０などと表す。図５中では強制取得フラグはアドレス５０に記憶されているが、アドレス５０でなくとも良い。また、メモリ５５はＩＰアドレス付与サーバ３４のＩＰアドレスを記憶している。同図中では例として当該ＩＰアドレスを１９２．１６８．０．１／２４としている。同５中では当該ＩＰアドレスはアドレス１００に記憶されているが、アドレス１００でなくとも良い。
【００２５】
図６はＩＰ電話端末によるＩＰアドレス取得処理ルーチンを表すフローチャートである。図７はＩＰ電話端末によるＩＰアドレス取得処理を表すシーケンス図である。以下に図６及び図７を適宜、参照しつつ、ＩＰ電話端末によるＩＰアドレス取得処理を説明する。なお、ここでは図５に示される如くＩＰ電話端末２０−１のＭＡＣアドレスＸＸ−ＸＸ−ＸＸ−ＸＸ−ＸＸ−０１がメモリ５５の０番、電話端末２０−２のＭＡＣアドレスＸＸ−ＸＸ−ＸＸ−ＸＸ−ＸＸ−０２がメモリ５５の１番、・・・、電話端末２０−１０のＭＡＣアドレスＸＸ−ＸＸ−ＸＸ−ＸＸ−ＸＸ−０Ａがメモリ５５の９番に予め登録されているものとする。
【００２６】
先ず、グループＧ１に含まれるＩＰ電話端末２０−１〜１０の各々に電源が投入されたとする。このとき、ＩＰ電話端末２０−１〜１０の各々に含まれるＬＡＮ制御回路５４が、メモリ５５に記憶されている強制取得フラグを確認する（Ｓ１０１）。強制取得フラグの論理値が１すなわちＩＰアドレスの付与を要求すべきである場合には、ＬＡＮ制御回路５４はＩＰアドレス付与サーバ３４へＩＰアドレスの付与を要求する（Ｓ１０３、Ｓ２０１）。強制取得フラグの論理値が０すなわちＩＰアドレスの付与を要求すべきでない場合には、ＬＡＮ制御回路５４は自身のＭＡＣアドレスがメモリ５５のアドレス０番地に登録されているか否かを確認する（Ｓ１０２）。自身（ここではＩＰ電話端末２０−１）のＭＡＣアドレスがメモリ５５のアドレス０番地に登録されている場合、ＬＡＮ制御回路５４はＩＰアドレス付与サーバ３４へＩＰアドレスの付与を要求する（Ｓ１０３、Ｓ２０１）。自身（ここではＩＰ電話端末２０−２〜１０）のＭＡＣアドレスがメモリ５５のアドレス０番地に登録されていない場合、ＬＡＮ制御回路５４はＩＰアドレス付与サーバ３４へのＩＰアドレス付与要求を保留し、ＩＰアドレス取得指示があるまで待機している（Ｓ１０４）。
【００２７】
ＩＰアドレス付与サーバ３４はＩＰアドレス付与要求に応じてＩＰアドレスをＩＰ電話端末２０−１に送信する（Ｓ２０２）。ＩＰ電話端末２０−１はＩＰアドレスを取得できたか否かを判別する（Ｓ１０５、Ｓ２０３）。ＩＰ電話端末２０−１はＩＰアドレスを取得したと判別したら、1つ下位のメモリアドレス（アドレス１番地）に登録されているＩＰ電話端末２０−２へ取得指示を発する（Ｓ１０６、Ｓ２０４）。ＩＰ電話端末２０−２は取得指示を受け取ったら（Ｓ１０４）、取得指示受信通知をＩＰ電話端末２０−１に送信する（Ｓ１０８、Ｓ２０５）。ＩＰ電話端末２０−１は取得指示受信通知を受信したか否かを判別する（Ｓ１０７、Ｓ２０６）。ＩＰ電話端末２０−１は取得指示受信通知を受信したと判別したら、ＩＰアドレス取得処理を終了する。
【００２８】
上述のようにＩＰ電話端末２０−２はＩＰ電話端末２０−１からの取得指示を受け取ったら、取得指示受信通知をＩＰ電話端末２０−１に送信する（Ｓ２０５）。これに続いて、ＩＰ電話端末２０−１が行った処理と同様に、ＩＰ電話端末２０−２はＩＰアドレス付与サーバ３４へＩＰアドレスの付与を要求する（Ｓ２０７）。ＩＰアドレス付与サーバ３４はＩＰアドレス付与要求に応じてＩＰアドレスをＩＰ電話端末２０−２に送信する（Ｓ２０８）。ＩＰ電話端末２０−２はＩＰアドレスを取得できたか否かを判別する（Ｓ２０９）。ＩＰ電話端末２０−２はＩＰアドレスを取得したと判別したら、1つ下位のメモリアドレス（アドレス２番地）に登録されているＩＰ電話端末２０−３へ取得指示を発する（Ｓ２１０）。ＩＰ電話端末２０−３は取得指示を受け取ったら、取得指示受信通知をＩＰ電話端末２０−２に送信する（Ｓ２１１）。ＩＰ電話端末２０−２は取得指示受信通知を受信したか否かを判別する（Ｓ２１２）。ＩＰ電話端末２０−２は取得指示受信通知を受信したと判別したら、ＩＰアドレス取得処理を終了する。
【００２９】
ＩＰ電話端末２０−３〜１０においても上述したのと同様の処理を行うことによって、図７に示す如くＩＰ電話端末２０−３〜１０の各々が順次、ＩＰアドレスを取得することができる。なお、ＩＰ電話端末２０−１〜１０の各々はＬＡＮ電話番号を単独であるいはＩＰアドレスと併せて要求、取得する場合も、上記した処理と同様の処理をなす。ＩＰ電話端末２０−１〜１０の各々が順次、ＩＰアドレス付与サーバ３４へＩＰアドレス及び／若しくはＬＡＮ電話番号の付与要求を発することにより、ＩＰアドレス付与サーバ３４へのアクセスが集中しない。そのため、通信回線２３の帯域が狭い場合においても、パケットロスを生じることなく、無事にＩＰアドレス及び／若しくはＬＡＮ電話番号の付与要求をなすパケットをＩＰアドレス付与サーバ３４へ送信することができ、ＩＰ電話端末２０−１〜１０の各々がＩＰアドレス及び／若しくはＬＡＮ電話番号を取得できる。
【００３０】
図８はＩＰ電話端末２０−１がＩＰアドレス取得に失敗した場合のＩＰアドレス取得処理を表すシーケンス図である。以下に図６及び図８を適宜、参照しつつ、ＩＰ電話端末２０−１がＩＰアドレス取得に失敗した場合のＩＰアドレス取得処理を説明する。
【００３１】
ＩＰ電話端末２０−１はＩＰアドレス付与サーバ３４へＩＰアドレスの付与を要求する（Ｓ１０３、Ｓ３０１）。続いて、ＩＰ電話端末２０−１はＩＰアドレスを取得できたか否かを判別する（Ｓ１０５、Ｓ３０２）。ＩＰ電話端末２０−１はＩＰアドレスを取得できなかったと判別したら、再度、ＩＰアドレス付与サーバ３４へＩＰアドレスの付与を要求する（Ｓ３０３）。続いて、ＩＰ電話端末２０−１はＩＰアドレスを取得できたか否かを判別する（Ｓ３０４）。更にＩＰ電話端末２０−１は３回目のＩＰアドレスの付与要求及びＩＰアドレスを取得できたか否かの判別を行い（Ｓ３０５、Ｓ３０６）、ＩＰアドレスの取得に３回失敗したと判別した場合には、ＩＰアドレス付与サーバ３４へのＩＰアドレス付与要求を取り止め、ＩＰ電話端末２０−２へ取得指示を発する（Ｓ１０６、Ｓ３０７）。
【００３２】
ＩＰ電話端末２０−２は取得指示を受け取ったら、取得指示受信通知をＩＰ電話端末２０−１に送信する（Ｓ３０８）。ＩＰ電話端末２０−１は取得指示受信通知を受信したか否かを判別し（Ｓ３０９）、取得指示受信通知を受信したと判別したら、ＩＰアドレス取得処理を終了する。ＩＰ電話端末２０−２はＩＰ電話端末２０−１からの取得指示に応じてＩＰアドレス付与サーバ３４へＩＰアドレスの付与を要求する（Ｓ３１０）。ＩＰアドレス付与サーバはＩＰアドレス付与要求に応じてＩＰアドレスをＩＰ電話端末２０−２に送信する（Ｓ３１１）。上記した処理により、ＩＰ電話端末２０−１が自身の故障などのためにＩＰアドレス付与サーバからのＩＰアドレスを受信できなかった場合においても、優先順位が下位のＩＰ電話端末２０−２はＩＰアドレスを受信できる。なお、ＩＰ電話端末２０−１〜１０の各々はＬＡＮ電話番号を単独であるいはＩＰアドレスと併せて要求、取得する場合も、上記した処理と同様の処理をなす。また、本実施例においてはＩＰ電話端末がＩＰアドレスの取得に３回失敗したと判別した場合にＩＰアドレス付与サーバ３４へのＩＰアドレス付与要求を取り止めるが、本実施例にはかかる回数の限定はなく、所望の所定回数を設定できる。
【００３３】
図９はＩＰ電話端末が取得指示受信通知の受信に失敗した場合のＩＰアドレス取得処理を表すシーケンス図である。以下に図６及び図９を適宜、参照しつつ、ＩＰ電話端末２０−１が取得指示受信通知の受信に失敗した場合のＩＰアドレス取得処理を説明する。
【００３４】
ＩＰ電話端末２０−１はＩＰアドレス付与サーバ３４へＩＰアドレスの付与を要求する（Ｓ４０１）。ＩＰアドレス付与サーバ３４はＩＰアドレス付与要求に応じてＩＰアドレスをＩＰ電話端末２０−２に送信する（Ｓ４０２）。ＩＰ電話端末２０−１はＩＰアドレスを取得できたか否かを判別する（Ｓ４０３）。ＩＰ電話端末２０−１はＩＰアドレスを取得したと判別したら、1つ下位のメモリアドレス（アドレス１番地）に登録されているＩＰ電話端末２０−２へ取得指示を発する（Ｓ１０６、Ｓ４０４）。ＩＰ電話端末２０−１は取得指示受信通知を受信したか否かを判別し（Ｓ１０７、Ｓ４０５）、取得指示受信通知を受信できなかったと判別した場合には再度、ＩＰ電話端末２０−２へ取得指示を発する（Ｓ４０６）。ＩＰ電話端末２０−１は計３回、取得指示を発し（Ｓ４０４、Ｓ４０６、Ｓ４０８）、いずれも取得指示受信通知を受信できなかったと判別した（Ｓ１１０、Ｓ４０５、Ｓ４０７、Ｓ４０９）場合にはＩＰ電話端末２０−２への取得指示を取り止め、ＩＰ電話端末２０−２へ取得指示を発する（Ｓ１１１、Ｓ４１０）。
【００３５】
ＩＰ電話端末２０−３はＩＰ電話端末２０−１からの取得指示を受け取ったら、取得指示受信通知をＩＰ電話端末２０−１に送信する（Ｓ４１１）。ＩＰ電話端末２０−１は取得指示受信通知を受信したと判別したら（Ｓ４１２）、ＩＰアドレス取得処理を終了する。ＩＰ電話端末２０−３はＩＰアドレス付与サーバ３４へＩＰアドレスの付与を要求する（Ｓ４１３）。ＩＰアドレス付与サーバ３４はＩＰアドレス付与要求に応じてＩＰアドレスをＩＰ電話端末２０−２に送信する（Ｓ４１４）。上記した処理により、例えばＩＰ電話端末２０−２が故障したために取得指示受信通知を送信できず、ＩＰ電話端末２０−１が当該取得指示受信通知を受信できなかった場合においても、優先順位が下位のＩＰ電話端末２０−３はＩＰアドレスを受信できる。なお、ＩＰ電話端末２０−１〜１０の各々はＬＡＮ電話番号を単独であるいはＩＰアドレスと併せて要求、取得する場合も、上記した処理と同様の処理をなす。また、本実施例においてはＩＰ電話端末２０−１が計３回、取得指示を発し、いずれも取得指示受信通知を受信できなかったと判別した場合に取得指示を取り止めるが、本実施例にはかかる回数の限定はなく、所望の所定回数を設定できる。
【００３６】
上記したように複数のＩＰ電話端末の各々がＩＰアドレス付与サーバへＩＰアドレスの付与を要求するためのＩＰ電話端末全体についての優先順位リストを記憶する。複数のＩＰ電話端末の各々が当該優先順位に基づいて順次、ＩＰアドレス付与サーバへＩＰアドレス及び／若しくはＬＡＮ電話番号の付与要求を発することにより、ＩＰアドレス付与サーバへのアクセスが集中しない。そのため、ＩＰアドレス付与サーバと複数のＩＰ電話端末とを接続する通信回線の帯域が狭い場合においても、パケットロスを生じることなく、無事にＩＰアドレス及び／若しくはＬＡＮ電話番号の付与要求をなすパケットをＩＰアドレス付与サーバへ送信することができ、複数のＩＰ電話端末の各々がＩＰアドレス及び／若しくはＬＡＮ電話番号を取得できる。
【図面の簡単な説明】
【００３７】
【図１】本発明によるＩＰ電話システムを表すブロック図である。
【図２】ＩＰ電話端末を表すブロック図である。
【図３】ＩＰ電話端末のグループ分けの一例を表す図である。
【図４】グループ内におけるＩＰ電話端末とＭＡＣアドレス対応の一例を表す図である。
【図５】メモリのデータ構成の一例を表す図である。
【図６】ＩＰ電話端末によるＩＰアドレス取得処理ルーチンを表すフローチャートである。
【図７】ＩＰアドレス取得処理を表すシーケンス図である。
【図８】ＩＰ電話端末がＩＰアドレス取得に失敗した場合のＩＰアドレス取得処理を表すシーケンス図である。
【図９】ＩＰ電話端末が取得指示受信通知の受信に失敗した場合のＩＰアドレス取得処理を表すシーケンス図である。
【符号の説明】
【００３８】
１０−１〜ｎ  ＩＰ電話端末
１１  ＬＡＮ
１２  ＮＷ接続機器
１３  通信回線
２０−１〜ｍ  ＩＰ電話端末
２１  ＬＡＮ
２２  ＮＷ接続機器
２３  通信回線
３０−１〜ｔ  ＩＰ電話端末
３１  ＬＡＮ
３２  ＮＷ接続機器
３３  通信回線
３４  ＩＰアドレス付与サーバ
４０  通信網
５１  テンキーインターフェース
５２  ハンドセットインターフェース
５３  音声圧縮伸長回路
５４  ＬＡＮ制御回路
５５  メモリ
５６  中央制御回路
５７  コンソールインターフェース
ＰＡ、ＰＢ、ＰＣ  拠点
【図１】
2008244584.tif 000003
【図２】
2008244584.tif 000004
【図３】
2008244584.tif 000005
【図４】
2008244584.tif 000006
【図５】
2008244584.tif 000007
【図６】
2008244584.tif 000008
【図７】
2008244584.tif 000009
【図８】
2008244584.tif 000010
【図９】
2008244584.tif 000011